(57)【要約】【課題】監視カメラを梱包して山積みにした状態で監視カメラの設定作業を容易に行うこと。【解決手段】監視カメラ用梱包部材１は、片端開口の円筒形状を為し、ドーム型監視カメラ３０の筐体側面３１および円形ドーム部３２を保持する緩衝材１０と、段ボールシートを折り曲げて直方体に形成され、ドーム型監視カメラ３０が保持された緩衝材１０を収容する梱包箱２０と、から構成され、収容されたドーム型監視カメラ３０の筐体背面３３に対向する梱包箱２０の側面２１には、コネクタ付ケーブル４０を取り出すための所定大きさの開口窓部２２を形成するためのミシン目２３が設けられている。【選択図】図１
2017065804.tif 000002
【特許請求の範囲】
【請求項１】
カメラの反対側である背面に、コネクタ付ケーブルあるいはコネクタを有する監視カメラを保持して梱包する監視カメラ用梱包部材であって、
前記コネクタ付ケーブルあるいは前記コネクタが露出するように前記監視カメラを保持する緩衝材と、
段ボールシートを折り曲げて直方体に形成され、前記監視カメラが保持された前記緩衝材を収容する梱包箱と、
から構成され、
前記梱包箱に収容された前記緩衝材に保持された前記監視カメラの背面に対向する前記梱包箱の側面には、所定大きさの開口窓部を形成するためのミシン目が設けられている、
監視カメラ用梱包部材。
【発明の詳細な説明】
【技術分野】
【０００１】
本発明は、監視カメラを梱包する監視カメラ用梱包部材に関する。
【背景技術】
【０００２】
従来、監視カメラ等の電子機器は、個別に緩衝支持された状態で梱包され、設置場所に輸送される（特許文献１参照）。
【０００３】
また、監視カメラに対しては、マンション又はショッピンモール等に設置される前に、その設置場所に応じた仕様に設定する作業が行われる。かかる設定作業は、例えば、夜間に使用頻度の多い監視カメラと昼間に使用頻度の多い監視カメラとで異なる設定にする作業、又は、監視カメラで撮影した画像データの保存先を監視カメラに予め設定する作業等である。
【０００４】
このような設定作業は、設置場所とは異なる場所において、外部のコンピュータに各監視カメラを各々接続して行われる。
【先行技術文献】
【特許文献】
【０００５】
【特許文献１】特開２０１３−３５５７３号公報
【発明の概要】
【発明が解決しようとする課題】
【０００６】
従来の梱包の仕方では、梱包部材から監視カメラを取り出して設定作業を行い、設定作業終了後に監視カメラを再び梱包部材に収納する必要がある。このため、ショッピンモール等の広範囲に複数の監視カメラを設置する場合のように、数百台から数千台の多数の監視カメラに対する設定作業が必要な場合、設定作業に時間を要すると共に設定作業が面倒である。
【０００７】
本発明の目的は、監視カメラを梱包して山積みにした状態で監視カメラの設定作業を容易に行うことができる監視カメラ用梱包部材を提供することである。
【課題を解決するための手段】
【０００８】
本発明に係る監視カメラ用梱包部材は、カメラの反対側である背面に、コネクタ付ケーブルあるいはコネクタを有する監視カメラを保持して梱包する監視カメラ用梱包部材であって、前記コネクタ付ケーブルあるいは前記コネクタが露出するように前記監視カメラを保持する緩衝材と、段ボールシートを折り曲げて直方体に形成され、前記監視カメラが保持された前記緩衝材を収容する梱包箱と、から構成され、前記梱包箱に収容された前記緩衝材に保持された前記監視カメラの背面に対向する前記梱包箱の側面には、所定大きさの開口窓部を形成するためのミシン目が設けられている。
【発明の効果】
【０００９】
本発明によれば、監視カメラを梱包して山積みにした状態で監視カメラの設定作業を容易に行うことができる。
【図面の簡単な説明】
【００１０】
【図１】本発明の実施の形態に係る監視カメラ用梱包部材の斜視図
【図２】本発明の実施の形態に係る監視カメラ用梱包部材の使用方法を示す図
【図３】本発明の実施の形態に係る監視カメラ用梱包部材に収容された監視カメラを所定の仕様に設定する際の監視カメラ用梱包部材の使用状態図
【図４】本発明の実施の形態のバリエーション１に係るドーム型監視カメラの斜視図
【図５】本発明の実施の形態のバリエーション１に係る監視カメラ用梱包部材の使用方法を示す図
【図６】本発明の実施の形態のバリエーション２に係る監視カメラおよび緩衝材の斜視図
【図７】本発明の実施の形態のバリエーション２に係る監視カメラ用梱包部材の使用方法を示す図
【発明を実施するための形態】
【００１１】
以下、図面を適宜参照して、本発明の一実施の形態につき、詳細に説明する。
【００１２】
＜監視カメラ用梱包部材の構成＞
本発明の実施の形態に係る監視カメラ用梱包部材１の構成につき、図１を参照しながら、以下に詳細に説明する。
【００１３】
監視カメラ用梱包部材１は、緩衝材１０及び梱包箱２０を有している。
【００１４】
緩衝材１０は、円筒形状であり、片端に開口１１を有している。緩衝材１０は、ドーム型監視カメラ３０の筐体側面３１及び円形ドーム部３２を保持する。緩衝材１０は、ドーム型監視カメラ３０の筐体背面３３（カメラがある正面の反対面）及び有色のビニール袋５０に覆われたコネクタ付ケーブル（ネットワークケーブル）４０を露出させた状態でドーム型監視カメラ３０を保持する。緩衝材１０は、内部に空気を送り込んで膨らませることにより形成される。緩衝材１０は、例えば、開口１１の外径が２０ｃｍであり、ドーム型監視カメラ３０の挿入方向の長さが２２ｃｍとなっている。
【００１５】
ドーム型監視カメラ３０の筐体背面３３には凹部３４が形成され、凹部３４からコネクタ付ケーブル４０の一部が外部に露出している。なお、図１の例では、コネクタ付ケーブル（ネットワークケーブル）４０の他に、もう１本のコネクタ付ケーブル（電源・映像ケーブル）が、凹部３４から外部に露出し、ビニール袋５０と異なる色または無色のビニール袋で覆われている。
【００１６】
梱包箱２０は、段ボールシートを折り曲げて直方体に形成されていると共に、上方が開閉可能になっている。梱包箱２０の側面２１は、収容されたドーム型監視カメラ３０の円形ドーム部３２の反対面である筐体背面３３に対向する。梱包箱２０の側面２１の幅方向のほぼ中央部には、コネクタ付ケーブル４０を取り出すための所定大きさの開口窓部２２（図２参照）を形成するためのミシン目２３と、折り曲げガイド部２４と、開口窓部２２を塞ぐ折り曲げ片部２５と、折り曲げ片部２５を手前に引き出す際に指を入れるための隙間２６と、が形成されている。ミシン目２３は、折り曲げガイド部２４に平行なミシン目２３と側面２１の上端との長さが、折り曲げガイド部２４と側面２１の下端との長さよりも大きくなるように形成されている。
【００１７】
梱包箱２０の内部は、緩衝材１０がガタツキ無く保持されるような前後方向の長さ、上下方向の高さ及び左右方向の長さを有している。梱包箱２０には、開放されている上方より、ドーム型監視カメラ３０が保持された緩衝材１０が挿入される。梱包箱２０は、ドーム型監視カメラ３０が保持された緩衝材１０を収容する。
【００１８】
＜監視カメラ用梱包部材の使用方法＞
本発明の実施の形態に係る監視カメラ用梱包部材１の使用方法につき、図２及び図３を参照しながら、以下に詳細に説明する。
【００１９】
まず、図２（ａ）に示すように、ユーザは、ドーム型監視カメラ３０が保持された緩衝材１０を収容した梱包箱２０の隙間２６に指を入れて、ミシン目２３に沿って引き裂くと共に、折り曲げ片部２５を手前に引っ張って折り曲げガイド部２４において折り曲げることにより、側面２１に開口窓部２２を形成する。
【００２０】
次に、図２（ｂ）に示すように、ユーザは、開口窓部２２に露出したビニール袋５０に覆われたコネクタ付ケーブル４０を、開口窓部２２から外部に引っ張り出して、ビニール袋５０を取り除く。このとき、折り曲げ片部２５をほぼ水平の状態にすることにより、折り曲げ片部２５上に、コネクタ付ケーブル４０のコネクタ部を保持することができる。
【００２１】
次に、図２（ｃ）に示すように、ユーザは、コネクタ付ケーブル４０をネットワークケーブル６１とルータ６０を介して外部コンピュータ７０に接続する。ここまでの作業は、図３に示すように、梱包箱２０を山積みにした状態で各梱包箱２０に対して行われる。図３に示す状態で、ユーザは、ドーム型監視カメラ３０の仕様（解像度、時間、アラームの条件等）を設定する作業（カスタマイズ）を行う。梱包箱２０の側面２１の幅方向のほぼ中央部に、開口窓部２２の上端と側面２１の上端との長さが、折り曲げガイド部２４と側面２１の下端との長さよりも大きくなるように開口窓部２２を形成することにより、監視カメラ用梱包部材１を山積みにした状態で開口窓部２２を形成しても、梱包箱２０の形状が維持されるような十分な強度を確保することができる。
【００２２】
ドーム型監視カメラ３０の設定作業が終了した後、図２（ｄ）に示すように、ユーザは、コネクタ付ケーブル４０と外部コンピュータ７０との接続を解除して、コネクタ付ケーブル４０をビニール袋５０で覆い、ビニール袋５０で覆ったコネクタ付ケーブル４０を開口窓部２２から梱包箱２０の内部に収容する。
【００２３】
次に、図２（ｅ）に示すように、ユーザは、折り曲げ片部２５を折り曲げガイド部２４より上方に起こして元の位置に戻す。
【００２４】
そして、図２（ｆ）に示すように、ユーザは、折り曲げ片部２５と側面２１とをテープ８０で固定することにより、開口窓部２２を折り曲げ片部２５で塞ぐ。これにより、梱包箱２０の内部にゴミ、塵が入るのを防ぐことができる。
【００２５】
以上のように、本実施の形態によれば、監視カメラ用梱包部材１において、ドーム型監視カメラ３０が保持された緩衝材１０を収容する梱包箱２０の、ドーム型監視カメラ３０の筐体背面３３に対向する側面２１に、コネクタ付ケーブル４０を取り出すための所定大きさの開口窓部２２を形成するためのミシン目２３を設ける。これにより、監視カメラを梱包して山積みにした状態で、開口窓部２２からコネクタ付ケーブル４０を取り出すことができるので、監視カメラの設定作業の際に、梱包箱２０を開けてその中からドーム型監視カメラ３０を取り出す必要が無く、設定作業を容易に行うことができる。
【００２６】
＜バリエーション１＞
本発明は、図４に示すような、コネクタ付ケーブル４０を有さないドーム型監視カメラ３０ａを梱包する場合にも適用することができる。図４に示すように、ドーム型監視カメラ３０ａは、本体部３５と円形ドーム部カバー３６とから構成される。本体部３５にはコネクタ３７が設けられている。
【００２７】
図４（ａ）、（ｂ）に示すように、梱包時には、本体部３５と円形ドーム部カバー３６との間に、緩衝材としての役割を果たす中間パット３８が挿入される。この状態で、本体部３５、円形ドーム部カバー３６および中間パット３８は、粘着テープ等により固定される。
【００２８】
なお、図４（ｃ）に示すように、ドーム型監視カメラ３０ａは、中間パット３８が外され、本体部３５に円形ドーム部カバー３６を被せた状態で使用される。
【００２９】
バリエーション１において、緩衝材１０は、コネクタ３７を露出した状態で、ドーム型監視カメラ３０ａの中間パット３８の側面及び円形ドーム部カバー３６を保持する。
【００３０】
図１に示したように、梱包箱２０の側面２１の幅方向のほぼ中央部には、所定大きさの開口窓部２２を形成するためのミシン目２３と、折り曲げガイド部２４と、開口窓部２２を塞ぐ折り曲げ片部２５と、折り曲げ片部２５を手前に引き出す際に指を入れるための隙間２６と、が形成されている。
【００３１】
梱包箱２０の内部は、緩衝材１０がガタツキ無く保持されるような前後方向の長さ、上下方向の高さ及び左右方向の長さを有している。梱包箱２０には、開放されている上方より、ドーム型監視カメラ３０ａが保持された緩衝材１０が挿入される。梱包箱２０は、ドーム型監視カメラ３０ａが保持された緩衝材１０を収容する。
【００３２】
ドーム型監視カメラ３０ａの仕様を設定する作業を行う際には、ユーザは、梱包箱２０の隙間２６に指を入れて、ミシン目２３に沿って引き裂くと共に、折り曲げ片部２５を手前に引っ張って折り曲げガイド部２４において折り曲げ、側面２１に開口窓部２２を形成する（図５参照）。
【００３３】
このとき、図５に示すように、コネクタ３７が開口窓部２２から露出した状態となる。したがって、ユーザは、コネクタ３７にネットワークケーブル６１を容易に接続することができ、ドーム型監視カメラ３０ａの設定作業を行うことができる。なお、バリエーション１においても、図３に示したような梱包箱２０を山積みにした状態で、設定作業を行うことができる。
【００３４】
ドーム型監視カメラ３０ａの設定作業が終了した後、図２に示したように、ユーザは、折り曲げ片部２５を折り曲げガイド部２４より上方に起こして元の位置に戻し、折り曲げ片部２５と側面２１とをテープ８０で固定することにより、開口窓部２２を折り曲げ片部２５で塞ぐ。これにより、梱包箱２０の内部にゴミ、塵が入るのを防ぐことができる。
【００３５】
以上のように、コネクタ付ケーブル４０を有さないドーム型監視カメラ３０ａにおいても、設定作業の際に、梱包箱２０からドーム型監視カメラ３０ａを取り出す必要が無く、設定作業を容易に行うことができる。
【００３６】
＜バリエーション２＞
本発明は、図６に示すような、ドーム型以外の監視カメラ９０を梱包する場合にも適用することができる。図６に示すように、監視カメラ９０はほぼ矩形形状であり、監視カメラ９０の筐体背面３３ａにはコネクタ３７ａが設けられている。
【００３７】
バリエーション２において、緩衝材１０ａは、内部に空気を送り込んで膨らませることにより形成され、監視カメラ９０を収容可能な内部空間を有する角筒形状であり、片端に開口１１ａを有している。開口１１ａが形成された端部の一辺には、蓋部１２が取り付けられる。蓋部１２には、監視カメラ９０を保持した緩衝材１０ａを収容した梱包箱２０に開口窓部２２を形成した際に、コネクタ３７ａが露出するように、切り欠き部１３が形成される。
【００３８】
図１に示したように、梱包箱２０の側面２１の幅方向のほぼ中央部には、所定大きさの開口窓部２２を形成するためのミシン目２３と、折り曲げガイド部２４と、開口窓部２２を塞ぐ折り曲げ片部２５と、折り曲げ片部２５を手前に引き出す際に指を入れるための隙間２６と、が形成されている。
【００３９】
梱包箱２０の内部は、緩衝材１０ａがガタツキ無く保持されるような前後方向の長さ、上下方向の高さ及び左右方向の長さを有している。梱包箱２０には、開放されている上方より、監視カメラ９０が保持された緩衝材１０ａが挿入される。梱包箱２０は、監視カメラ９０が保持された緩衝材１０ａを収容する。このとき、緩衝材１０ａは、蓋部１２が閉じられた状態で、梱包箱２０に収容される。これにより、監視カメラ９０は、緩衝材１０ａによって、全ての方向において、衝撃から保護される。
【００４０】
監視カメラ９０の仕様を設定する作業を行う際には、ユーザは、梱包箱２０の隙間２６に指を入れて、ミシン目２３に沿って引き裂くと共に、折り曲げ片部２５を手前に引っ張って折り曲げガイド部２４において折り曲げ、側面２１に開口窓部２２を形成する（図７参照）。
【００４１】
このとき、図７に示すように、コネクタ３７ａが開口窓部２２から露出した状態となる。したがって、ユーザは、コネクタ３７ａにネットワークケーブル６１を容易に接続することができ、監視カメラ９０の設定作業を行うことができる。なお、バリエーション２においても、図３に示したような梱包箱２０を山積みにした状態で、設定作業を行うことができる。
【００４２】
監視カメラ９０の設定作業が終了した後、図２に示したように、ユーザは、折り曲げ片部２５を折り曲げガイド部２４より上方に起こして元の位置に戻し、折り曲げ片部２５と側面２１とをテープ８０で固定することにより、開口窓部２２を折り曲げ片部２５で塞ぐ。これにより、梱包箱２０の内部にゴミ、塵が入るのを防ぐことができる。
【００４３】
以上のように、ドーム型以外の監視カメラ９０においても、設定作業の際に、梱包箱２０から監視カメラ９０を取り出す必要が無く、設定作業を容易に行うことができる。
【００４４】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【００４５】
本発明に係る監視カメラ用梱包部材は、監視カメラを梱包するのに好適である。
【符号の説明】
【００４６】
１  監視カメラ用梱包部材
１０、１０ａ  緩衝材
１１、１１ａ  開口
２０  梱包箱
２１  側面
２２  開口窓部
２３  ミシン目
２４  折り曲げガイド部
２５  折り曲げ片部
２６  隙間
３０、３０ａ  ドーム型監視カメラ
３１  筐体側面
３２  円形ドーム部
３３、３３ａ  筐体背面  
３４  凹部
３５  本体部
３６  円形ドーム部カバー
３７、３７ａ  コネクタ
３８  中間パット
４０  コネクタ付ケーブル
５０  ビニール袋
６０  ルータ
６１  ネットワークケーブル
７０  外部コンピュータ
８０  テープ
９０  監視カメラ
【図１】
2017065804.tif 000003
【図２】
2017065804.tif 000004
【図３】
2017065804.tif 000005
【図４】
2017065804.tif 000006
【図５】
2017065804.tif 000007
【図６】
2017065804.tif 000008
【図７】
2017065804.tif 000009